(57)【要約】【課題】全てのベースモジュールの吐出口を一定間隔とすることができるようにする。【解決手段】  マニホールド電磁弁１０は、それぞれ複数のベースモジュール１１からなるベース組立体１２ａ〜１２ｃを有している。ベース組立体１２ａの両側には中間ブロック１３，１４が突き当てられている。ベースモジュール１１の弁搭載面１９ａには複数の電磁弁が搭載される。ベース組立体１２ａのベースモジュール１１には、ストレートブロック７０が装着され、ベース組立体１２ｂ，１２ｃにはオフセットブロック８０ａ，８０ｂが装着される。オフセットブロック８０ａ，８０ｂは、基部８５に一体に設けられて吐出口が形成された吐出部８６を有し吐出部８６は基部８５に対して中間ブロック１３，１４側にずれている。【選択図】図２
2014059013.tif 000002
【特許請求の範囲】
【請求項１】
電磁弁が搭載される弁搭載面と、前記電磁弁の出力ポートに連通する出力流路とが設けられた複数のベースモジュールを突き合わせて組み立てられるマニホールド電磁弁であって、
前記ベースモジュールの先端面に装着され、前記出力流路の流出口に連通する流入口と当該流入口にストレート流路を介して連通する吐出口とが設けられたストレートブロックと、
前記出力流路の流出口に連通する流入口が設けられ、他の前記ベースモジュールの先端面に装着される基部、および当該基部と一体に設けられ、前記基部に対して前記ベースモジュールの突き合わせ方向にずれた吐出口が設けられた吐出部を有し、前記流入口と前記吐出口とを連通させるオフセット流路が設けられたオフセットブロックとを有することを特徴とするマニホールド電磁弁。
【請求項２】
請求項１記載のマニホールド電磁弁において、
複数の前記ベースモジュールを突き合わせて組み立てられる第１のベース組立体と、
複数の前記ベースモジュールを突き合わせて組み立てられる第２のベース組立体と、
前記第１のベース組立体と前記第２のベース組立体との間に配置される中間ブロックとを有し、
前記第１のベース組立体における前記ベースモジュールの先端面にそれぞれ前記ストレートブロックを装着し、
前記第２のベース組立体における前記ベースモジュールの先端面に、それぞれ前記吐出部を前記中間ブロック側にずらした状態で、前記オフセットブロックを装着することを特徴とするマニホールド電磁弁。
【請求項３】
請求項１記載のマニホールド電磁弁において、前記オフセットブロックの前記基部と前記吐出部とのずれ寸法は、前記中間ブロックの幅寸法と同じであることを特徴とするマニホールド電磁弁。
【請求項４】
請求項１記載のマニホールド電磁弁において、
複数の前記ベースモジュールを突き合わせて組み立てられる第１のベース組立体と、
当該第１のベース組立体の一方の側面に突き当てられる第１の中間ブロックと、
前記第１のベース組立体の他方の側面に突き当てられる第２の中間ブロックと、
複数の前記ベースモジュールを突き合わせて組み立てられ、前記第１の中間ブロックの前記第１のベース組立体に対して反対側の側面に突き当てられる第２のベース組立体と、
複数の前記ベースモジュールを突き合わせて組み立てられ、前記第２の中間ブロックの前記第１のベース組立体に対して反対側の側面に突き当てられる第３のベース組立体とを有することを特徴とするマニホールド電磁弁。
【請求項５】
請求項４記載のマニホールド電磁弁において、前記第２のベース組立体の外側面に第１のエンドブロックを突き当て、前記第３のベース組立体の外側面に第２のエンドブロックを突き当てることを特徴とするマニホールド電磁弁。
【請求項６】
請求項４または５記載のマニホールド電磁弁において、前記ベースモジュールに前記電磁弁の給気ポートに連通して形成された給気孔に連通する空気供給部を前記中間ブロックに設けることを特徴とするマニホールド電磁弁。
【請求項７】
請求項５または６記載のマニホールド電磁弁において、前記ベースモジュールに前記電磁弁の給気ポートに連通して形成された給気孔に連通する空気供給部を前記エンドブロックに設けることを特徴とするマニホールド電磁弁。
【請求項８】
電磁弁の出力ポートに連通する出力流路が設けられた複数のベースモジュールを突き合わせて組み立てられるマニホールド電磁弁に装着されるオフセットブロックであって、
前記出力流路の流出口に連通する流入口が設けられ、前記ベースモジュールの先端面に装着される基部と、
前記基部と一体に設けられ、前記基部に対して前記突き合わせ方向にずれた吐出口が設けられた吐出部とを有し、
前記流入口と前記吐出口とを連通させるオフセット流路を有することを特徴とするオフセットブロック。
【請求項９】
請求項８記載のオフセットブロックは、前記オフセット流路の面を中心として対称形状であり、前記マニホールド電磁弁に対して正立状態と反転状態のいずれの状態としても装着し得ることを特徴とするオフセットブロック。
【発明の詳細な説明】
【技術分野】
【０００１】
本発明は、それぞれ電磁弁が搭載されるベースモジュールを継ぎ合わせて構成される分割形のマニホールド電磁弁およびそれに用いるオフセットブロックに関する。
【背景技術】
【０００２】
複数の電磁弁が取付台に集合して搭載されるタイプの電磁弁は、マニホールド電磁弁または電磁弁マニホールドと言われる。マニホールド電磁弁には、共通の給気流路が設けられた単一のベースブロックに複数の電磁弁を搭載するようにした一体形と、それぞれ電磁弁が搭載されるベースモジュールを継ぎ合わせることにより構成される分割形がある。分割形は、スタッキング形とも言われ、同一形状のベースモジュールを任意の数だけ継ぎ合わせることにより、電磁弁の数が相違する複数種類のマニホールド電磁弁を組み立てることができる。
【０００３】
例えば、特許文献１に記載されるように、ベースモジュールには、電磁弁の出力ポートに連通する出力流路と、電磁弁の給気ポートに連通する給気孔とが形成されている。ベースモジュールの先端部には、出力流路の吐出口が設けられている。複数のベースモジュールを継ぎ合わせると、ベースモジュールの給気孔により給気通路が形成され、給気流路には外部から圧縮空気が供給される。ベースモジュールに搭載された電磁弁により、給気孔と出力流路とを連通させて給気通路に供給された圧縮空気を出力流路に供給する状態と、給気孔と出力流路との連通を遮断して出力流路への空気の供給が停止される状態とに切り換えられる。
【先行技術文献】
【特許文献】
【０００４】
【特許文献１】特開２００９−２０４００９号公報
【発明の概要】
【発明が解決しようとする課題】
【０００５】
ベースモジュールは、複数の電磁弁の集合度を高めるために、ほぼ直方体の形状となっており、電磁弁の脚部つまり基部が取り付けられることになる長方形の弁搭載面を有している。ベースモジュールの両側面は他のベースモジュールが突き当てられる突き当て面となっている。マニホールド電磁弁は、複数のベースモジュールを突き当て面で継ぎ合わせて形成されるベース組立体と、このベース組立体の両側面に継ぎ合わされるエンドブロックとを有している。エンドブロックには、外部からの圧縮空気を案内するホース等からなる配管が接続され、エンドブロックからそれぞれのベースモジュールの給気孔には圧縮空気が供給される。
【０００６】
マニホールド電磁弁を組み立てるときには、ベース組立体とエンドブロックとを突き当て面同士で突き当てた状態のもとで、ベースモジュールとエンドブロックとに形成された貫通孔に締結金具を取り付けて、全てのベースモジュールとエンドブロックとが締結金具により締結される。
【０００７】
マニホールド電磁弁には、全てのベースモジュールを直接突き合わせるようにした形態と、ベースモジュールの間に中間ブロックが配置される形態とがある。中間ブロックは、給気や排気等のための継手を取り付けたり、信号線のコネクタを取り付けたりするために使用される。中間ブロックが設けられる形態のマニホールド電磁弁においては、隣り合う２つのベースモジュールが中間ブロックを介して突き合わせられることになる。このため、直接突き合わせられた複数のベースモジュールのそれぞれの吐出口は一定の間隔で配置されるのに対し、ベースモジュールの相互間に中間ブロックが突き合わせられると、中間ブロックの部分には吐出口がないので、全てのベースモジュールの吐出口が一定の間隔に配置されなくなる。
【０００８】
本発明の目的は、全てのベースモジュールの吐出口を一定間隔に配置することができるようにすることにある。
【課題を解決するための手段】
【０００９】
本発明のマニホールド電磁弁は、電磁弁が搭載される弁搭載面と、前記電磁弁の出力ポートに連通する出力流路とが設けられた複数のベースモジュールを突き合わせて組み立てられるマニホールド電磁弁であって、前記ベースモジュールの先端面に装着され、前記出力流路の流出口に連通する流入口と当該流入口にストレート流路を介して連通する吐出口とが設けられたストレートブロックと、前記出力流路の流出口に連通する流入口が設けられ、他の前記ベースモジュールの先端面に装着される基部、および当該基部と一体に設けられ、前記基部に対して前記ベースモジュールの突き合わせ方向にずれた吐出口が設けられた吐出部を有し、前記流入口と前記吐出口とを連通させるオフセット流路が設けられたオフセットブロックとを有することを特徴とする。
【００１０】
本発明のオフセットブロックは、電磁弁の出力ポートに連通する出力流路が設けられた複数のベースモジュールを突き合わせて組み立てられるマニホールド電磁弁に装着されるオフセットブロックであって、前記出力流路の流出口に連通する流入口が設けられ、前記ベースモジュールの先端面に装着される基部と、前記基部と一体に設けられ、前記基部に対して前記突き合わせ方向にずれた吐出口が設けられた吐出部とを有し、前記流入口と前記吐出口とを連通させるオフセット流路を有することを特徴とする。
【発明の効果】
【００１１】
マニホールド電磁弁は、電磁弁が搭載される複数のベースモジュールを突き合わせて組み立てられる。ベースモジュールの先端面には、ストレートブロックとオフセットブロックとのいずれかが装着される。ストレートブロックには、ベースモジュールの出力流路に真っ直ぐに伸びるストレート流路を介して連通する吐出口が設けられ、オフセットブロックには、ベースモジュールの出力流路に対して傾斜した部分を有するオフセット流路を介して連通する吐出口が設けられている。それぞれのベースモジュールを直接突き当てることなく、ベースモジュール間に中間部材が配置されていても、全ての吐出口を一定間隔に配置することができる。
【図面の簡単な説明】
【００１２】
【図１】マニホールド電磁弁の一例を示す斜視図である。
【図２】図１の平面図である。
【図３】図２の左側面図である。
【図４】図２の正面図である。
【図５】図４におけるＡ−Ａ線断面図である。
【図６】図４におけるＢ−Ｂ線断面図である。
【図７】電磁弁が搭載されたベースモジュールを示す斜視図である。
【図８】図７に示されたベースモジュールの正面図である。
【図９】図８の左側面図である。
【図１０】図８におけるＣ−Ｃ線断面図である。
【図１１】図１０におけるＤ−Ｄ線断面図である。
【図１２】図１０におけるＥ−Ｅ線断面図である。
【図１３】図１０におけるＦ−Ｆ線断面図である。
【図１４】図１０におけるＧ−Ｇ線断面図である。
【図１５】図１に示されるストレートブロックを拡大して示す斜視図である。
【図１６】図１５の正面図である。
【図１７】図１５の背面図である。
【図１８】図１６におけるＨ−Ｈ線断面図である。
【図１９】図１に示されたオフセットブロックを拡大して示す斜視図である。
【図２０】図１９の正面図である。
【図２１】図１９の背面図である。
【図２２】図２０におけるＩ−Ｉ線断面図である。
【図２３】マニホールド電磁弁の変形例を示す斜視図である。
【図２４】図２３の断面図である。
【図２５】図２３に示されたストレートブロックを拡大して示す斜視図である。
【図２６】図２５の断面図である。
【図２７】図２３に示されたオフセットブロックを拡大して示す斜視図である。
【図２８】図２７の断面図である。
【図２９】ベースモジュールに装着されるオフセットブロックの変形例を有するブロック組立体を示す斜視図である。
【図３０】図２９の平面図である。
【図３１】図２９の正面図である。
【図３２】図３１におけるＪ−Ｊ線断面図である。
【図３３】図２９に示されたオフセットブロックを示す斜視図である。
【図３４】図３３の正面図である。
【図３５】図３３の背面図である。
【図３６】図３４におけるＫ−Ｋ線断面図である。
【図３７】マニホールド電磁弁に装着されるオフセットブロックの他の変形例を示す斜視図である。
【図３８】図３７の正面図である。
【図３９】図３７の背面図である。
【図４０】図３８におけるＬ−Ｌ線断面図である。
【図４１】マニホールド電磁弁の適用例を示す一部切欠き側面図である。
【発明を実施するための形態】
【００１３】
以下、本発明の実施の形態を図面に基づいて詳細に説明する。図１〜図６に示されるマニホールド電磁弁１０は、それぞれ同一形状の３つのベースモジュール１１により形成される３つのベース組立体１２ａ〜１２ｃを有している。図２において左右方向中央部に配置されるベース組立体１２ａの左右両側には、中間ブロック１３，１４が配置されている。中央のベース組立体１２ａの一方の側面は中間ブロック１３の一方の側面に突き当てられ、ベース組立体１２ａの他方の側面は中間ブロック１４の一方の側面に突き当てられている。ベース組立体１２ｂは中間ブロック１３の外側に配置されており、ベース組立体１２ｂの一方の側面は中間ブロック１３の他方の側面に突き当てられている。ベース組立体１２ｃは中間ブロック１４の外側に配置されており、ベース組立体１２ｃの一方の側面は中間ブロック１４の他方の側面に突き当てられている。このように、２つの中間ブロック１３，１４の一方の側面と、これに対して反対側の他方の側面とには、それぞれベース組立体が突き当てられた状態となって配置される。
【００１４】
ベース組立体１２ａは第１のベース組立体を構成し、ベース組立体１２ｂは第２のベース組立体を構成し、ベース組立体１２ｃは第３のベース組立体を構成する。中間ブロック１３は第１の中間ブロックを構成し、中間ブロック１４は第２の中間ブロックを構成する。
【００１５】
ベース組立体１２ｂの外側にはエンドブロック１５が配置されており、エンドブロック１５の内側の側面はベース組立体１２ｂの他方の側面に突き当てられる。ベース組立体１２ｃの外側にはエンドブロック１６が配置されており、エンドブロック１６の内側の側面はベース組立体１２ｃの他方の側面に突き当てられる。エンドブロック１５は第１のエンドブロックを構成し、エンドブロック１６は第２のエンドブロックを構成する。マニホールド電磁弁１０は、ベース組立体１２ａ〜１２ｃと、中間ブロック１３，１４と、エンドブロック１５，１６とを、図２に示されるように、突き合わせて配置した状態のもとで、図示しない締結具で締結することにより組み立てられる。
【００１６】
マニホールド電磁弁１０は、各々のベース組立体１２ａ〜１２ｃが３つのベースモジュール１１により組み立てられているが、ベース組立体を構成するベースモジュール１１の数や中間ブロックの数は、任意の数とすることができる。例えば、それぞれの中間ブロック１３，１４の両側に１つずつベースモジュール１１が突き当てられたマニホールド電磁弁１０の形態とすることもできる。
【００１７】
ベースモジュール１１は、図７〜図１０に示されるように、ほぼ直方体形状となっており、左右の両側面は突き当て面１７，１８となっている。ベースモジュール１１の突き当て面１７，１８に対して直角をなす表裏両方の平面は相互に平行な弁搭載面１９ａ，１９ｂとなっている。一方の弁搭載面１９ａには、先端部側に電磁弁２１が搭載され、後端部側に電磁弁２２が搭載されており、両方の電磁弁２１，２２は、ベースモジュール１１の前後方向に隣り合っている。弁搭載面１９ａに対して平行な他方の弁搭載面１９ｂには、先端部側に電磁弁２３が搭載され、後端部側に電磁弁２４が搭載されており、両方の電磁弁２３，２４はベースモジュール１１の前後方向に隣り合っている。
【００１８】
それぞれの電磁弁２１〜２４は、図７に示されるように、取付面が長方形となった基部２５を有し、基部２５を貫通するねじ部材２６により電磁弁２１〜２４はベースモジュール１１にねじ止めされる。図１１〜図１４に示されるように、電磁弁２１〜２４には、給気ポート２７と出力ポート２８とが設けられ、電磁弁２１〜２４は、給気ポート２７と出力ポート２８とを連通させる位置と、連通を遮断させる位置とに開閉作動する弁体２９を有している。弁体２９を開閉動作させるために、電磁弁２１〜２４には図示省略したソレノイドが組み込まれており、ソレノイドには外部から電力が供給される。
【００１９】
ベースモジュール１１には、左右両側の突き当て面１７，１８の間を貫通して給気孔３１が設けられている。給気孔３１は図７に示されるようにベースモジュール１１の前後方向に長辺が伸びた矩形となっている。それぞれの中間ブロック１３，１４は、図２に示されるように、同一形状となっており、ベースモジュール１１と同一の幅寸法を有しているが、同一でなくても良い。図６に示されるように、中間ブロック１３，１４にはベースモジュール１１の給気孔３１に対応して給気孔３２が設けられている。複数のベースモジュール１１を突き当て面１７，１８同士で突き合わせてベース組立体１２ａ〜１２ｃを組み立てるとともに、ベース組立体の間に中間ブロック１３，１４を配置すると、ベース組立体１２ａ〜１２ｃと中間ブロック１３，１４により、それぞれのベースモジュール１１の給気孔３１と中間ブロック１３，１４の給気孔３２とが連なって給気流路３３が形成される。この給気流路３３はベース組立体１２ｂの外側面と、ベース組立体１２ｃの外側面とに開口している。
【００２０】
それぞれのエンドブロック１５，１６には、図５および図６に示されるように、給気流路３３の開口部に対応して連通凹部３４が形成されている。それぞれのエンドブロック１５，１６の外側面と後端面には、給気用の継手３５，３６が空気供給部として取り付けられており、それぞれの継手３５，３６には、図示しない給気用のホースが接続されるようになっている。給気用のホースは連通凹部３４を介して給気流路３３に連通し、図示しない圧縮空気供給源から給気流路３３に圧縮空気が供給される。中間ブロック１３，１４の後端面には、給気用の継手３７が空気供給部として取り付けられており、継手３７には図示しない給気用のホースが接続されるようになっている。給気用のホースは中間ブロック１３，１４の給気孔３２に連通しており、圧縮空気供給源から給気流路３３に圧縮空気が供給される。このマニホールド電磁弁１０においては、給気流路３３へ多量の空気を供給するために、６箇所から給気流路３３に圧縮空気が供給されるようになっている。２つの継手３７からは給気流路３３におけるベース組立体１２ａ〜１２ｃの間の部分から圧縮空気が供給されるので、給気流路３３には全体的に均一に空気が分散された状態となって供給される。
【００２１】
ベースモジュール１１の先端部側には、図８に示されるように、一方の突き当て面１７からベースモジュール１１の幅方向外方に突出する突起部４１ａが設けられている。この突起部４１ａは、弁搭載面１９ａに連なってベースモジュール１１の幅方向外方に迫り出した弁取付面４２ａを有している。突起部４１ａは、図２および図８に示されるように、長手方向の両端部の傾斜面４３と、両方の傾斜面４３の間のストレート面４４とを有し、ストレート面４４の長手方向の長さは、電磁弁の基部２５の長さにほぼ対応している。突起部４１ａの内面、つまり弁取付面４２ａに対して反対側の面は傾斜面４５となっている。ベースモジュール１１の他方の突き当て面１８には、図７および図８に示されるように、突起部４１ａに対応した形状の凹部４６ａが形成されている。
【００２２】
ベースモジュール１１の先端部側には、他方の突き当て面１８からベースモジュール１１の幅方向外方に突出する突起部４１ｂが設けられている。この突起部４１ｂは、弁搭載面１９ｂに連なってベースモジュール１１の幅方向外方に迫り出した弁取付面４２ｂを有している。突起部４１ｂは、図７に示されるように、突起部４１ａと同様に、長手方向の両端部の傾斜面４３と、両方の傾斜面４３の間のストレート面４４とを有し、ストレート面４４の長手方向の長さは、電磁弁の基部２５の長さにほぼ対応している。突起部４１ｂの内面つまり弁取付面４２ｂに対して反対側の面は傾斜面４５となっている。ベースモジュール１１の他方の突き当て面１８には、図８において破線で示されるように、突起部４１ｂに対応した形状の凹部４６ｂが形成されている。突起部４１ａは第１の突起部であり、突起部４１ｂは第２の突起部であり、相互にベースモジュール１１の幅方向逆側に突出している。凹部４６ａは第１の凹部であり、凹部４６ｂは第２の凹部である。
【００２３】
図１および図２に示されるように、複数のベースモジュール１１を突き合わせると、相互に隣り合う２つのベースモジュール１１のうち一方のベースモジュール１１の突起部４１ａは、隣りのベースモジュール１１の凹部４６ａに嵌合つまり嵌め合わされて組み込まれる。同様に、相互に隣り合う２つのベースモジュール１１のうち一方のベースモジュール１１の突起部４１ｂは、隣りのベースモジュール１１の凹部４６ｂに嵌合されて組み込まれる。したがって、３つのベースモジュール１１を継ぎ合わせてベース組立体１２ａ〜１２ｃを組み立てるときには、突起部４１ａを凹部４６ａに嵌合させ、突起部４１ｂを凹部４６ｂに嵌合させることにより、ベースモジュール１１を相互に長手方向に容易に位置決めすることができる。突起部４１ａ，４１ｂには傾斜面４３，４５が設けられ、凹部４６ａ，４６ｂは突起部４１ａ，４１ｂに対応した形状となって、傾斜面４３，４５に対応した傾斜面を有しているので、突起部４１ａ，４１ｂを凹部４６ａ，４６ｂに嵌合させるときには、ベースモジュール１１を突き当てることにより、ベースモジュール１１相互の長手方向の位置決めを容易かつ正確に行うことができる。
【００２４】
それぞれの中間ブロック１３，１４の一方の側面には、図２に示されるように、ベースモジュール１１の突起部４１ａが嵌合する凹部４６ａが形成され、ベースモジュール１１の凹部４６ｂに嵌合する図示しない突起部が設けられている。さらに、中間ブロック１３，１４の他方の側面には、ベースモジュール１１の凹部４６ａに嵌合する突起部４１ａが設けられ、ベースモジュール１１の突起部４１ｂが嵌合する図示しない凹部が形成されている。
【００２５】
図２において左側に位置するエンドブロック１５の内面には、ベースモジュール１１の突起部４１ａが嵌合される凹部４６ａが形成され、ベースモジュール１１の凹部４６ｂに嵌合する図示しない突起部が設けられている。一方、図２において右側に位置するエンドブロック１６の内面には、ベースモジュール１１の凹部４６ａに嵌合する突起部４１ａが設けられ、ベースモジュール１１の突起部４１ｂが嵌合する図示しない凹部が形成されている。
【００２６】
中間ブロック１３，１４およびエンドブロック１５，１６に形成された突起部と凹部は、ベースモジュール１１の突起部４１ａ，４１ｂおよび凹部４６ａ，４６ｂと同一の形状である。したがって、９つのベースモジュール１１、２つの中間ブロック１３，１４、および２つのエンドブロック１５，１６によりマニホールド電磁弁１０を組み立てる際には、それぞれの突き当て面を突き当てることにより、それぞれの部材の長手方向の位置決めを容易かつ正確に行うことができる。
【００２７】
それぞれのベースモジュール１１には、図７に示されるように、締結金具を取り付けるための取付孔４７が設けられている。それぞれの取付孔４７に対応させて、図６に示されるように、中間ブロック１３，１４には取付孔４７ａが設けられ、エンドブロック１５，１６には取付孔４７ｂが設けられている。
【００２８】
図２および図８に示されるように、弁搭載面１９ａに搭載される電磁弁２１は、弁取付面４２ａの部分に重なるようにベースモジュール１１の幅方向の突き当て面１７側にずれている。これにより、電磁弁２１の一方の側面はベースモジュール１１の側面つまり突き当て面１７よりも外方に迫り出している。これに対し、電磁弁２２は弁搭載面１９ａの幅方向中央部に搭載されており、電磁弁２２の両側面はベースモジュール１１の両側面よりも内側となっている。同様に、弁搭載面１９ａに対して平行となった他の弁搭載面１９ｂに搭載される電磁弁２３は、弁取付面４２ｂの部分に重なるようにベースモジュール１１の幅方向の突き当て面１８側にずれている。これにより、電磁弁２３の一方の側面はベースモジュール１１の側面つまり突き当て面１８よりも外方に迫り出している。これに対し、電磁弁２４は弁搭載面１９ｂの幅方向中央部に搭載されており、電磁弁２４の両側面はベースモジュール１１の両側面よりも内側となっている。
【００２９】
図７に示されるように、ベースモジュール１１には矩形の給気孔３１の幅方向中央部に位置させて縦方向流路部４８が設けられており、この縦方向流路部４８はベースモジュール１１の長手方向に伸びている。縦方向流路部４８には給気孔３１を横切るように横方向流路部４９が設けられている。
【００３０】
図１０は図８におけるＣ−Ｃ線断面図であり、縦方向流路部４８の部分を含むベースモジュール１１の断面を示す。図１１は図１０におけるＤ−Ｄ線断面図であり、図１２は図１０におけるＥ−Ｅ線断面図であり、図１３は図１０におけるＦ−Ｆ線断面図であり、図１４は図１０におけるＧ−Ｇ線断面図である。
【００３１】
図１１および図１２に示されるように、ベースモジュール１１には電磁弁２１の給気ポート２７と給気孔３１とを連通させる給気案内孔５１が設けられている。図１２に示されるように、ベースモジュール１１には電磁弁２２の給気ポート２７と給気孔３１とを連通させる給気案内孔５２が設けられている。図１４に示されるように、ベースモジュール１１には、電磁弁２３の給気ポート２７と給気孔３１とを連通させる給気案内孔５３が設けられている。さらに、図１３に示されるように、電磁弁２４の給気ポート２７と給気孔３１とを連通させる給気案内孔５４が設けられている。
【００３２】
ベースモジュール１１には、図１０に示されるように、４つの出力流路６１〜６４が長手方向に伸びて設けられている。出力流路６１〜６４はベースモジュール１１の幅方向に隣り合って同一のピッチで設けられており、それぞれの出力流路６１〜６４はベースモジュール１１の先端面６５に開口する流出口６１ａ〜６４ａを有している。図１１に示されるように、ベースモジュール１１には電磁弁２１の出力ポート２８を出力流路６１に連通させる出力案内孔５５が設けられている。図１２に示されるように、ベースモジュール１１には電磁弁２２の出力ポート２８を出力流路６２に連通させる出力案内孔５６が設けられている。この出力案内孔５６は横方向流路部４９に設けられている。図１４に示されるように、ベースモジュール１１には電磁弁２３の出力ポート２８を出力流路６３に連通させる出力案内孔５７が設けられている。さらに、図１３に示されるように、電磁弁２４の出力ポート２８と出力流路６４とを連通させる出力案内孔５８が設けられている。この出力案内孔５８は横方向流路部４９に設けられている。
【００３３】
図７および図１０に示されるように、ベースモジュール１１の幅寸法をＷとし、図７に示されるように電磁弁２１〜２４の幅寸法をＱとすると、幅寸法Ｑは幅寸法Ｗに近い値となっている。例えば、Ｗを１２ｍｍとすると、Ｑは１０〜１１ｍｍとなっている。さらに、出力流路６１〜６４の幅方向のピッチＰは３ｍｍとなっており、流出口６１ａ〜６４ａの幅寸法は２ｍｍとなっている。電磁弁２１，２２はベースモジュール１１の弁搭載面１９ａに前後にずらして取り付けられ、電磁弁２３，２４は反対側の弁搭載面１９ｂに前後にずらして取り付けられる。さらに、電磁弁２１は弁搭載面１９ａに連なって幅方向外方に迫り出した弁取付面４２ａにオーバーラップさせて、弁取付面４２ａと弁搭載面１９ａにまたがってベースモジュール１１に搭載される。電磁弁２３は弁搭載面１９ｂに連なって、弁取付面４２ａに対しては幅方向に反対側に迫り出した弁取付面４２ｂにオーバーラップさせて、弁取付面４２ｂと弁搭載面１９ｂにまたがってベースモジュール１１に搭載される。これにより、１つのベースモジュール１１に狭いピッチＰで設けられた４つの出力流路６１〜６４に対して圧縮空気を供給制御するための４つの電磁弁２１〜２４を、幅の狭いベースモジュール１１に搭載することができる。これにより、マニホールド電磁弁１０の図２における左右方向の寸法を長くすることなく、１台のマニホールド電磁弁１０に多数の電磁弁を搭載することができる。
【００３４】
電磁弁２１の出力ポート２８に連通する出力案内孔５５は、ベースモジュール１１の突き当て面１７側に片寄った位置に設けられている。したがって、出力案内孔５５を出力流路６１の幅寸法よりも大きな内径としても、出力案内孔５５を出力流路６１のみに連通させ、出力案内孔５５と他の出力流路６２との干渉を避けることができる。また、電磁弁２１はベースモジュール１１に幅方向にずらして取り付けられているので、出力案内孔５５の中心と電磁弁２１の出力ポート２８の中心はずれている。しかし、出力案内孔５５の径は、出力流路６１の幅寸法よりも大きくなっているので、出力案内孔５５を出力流路６１に連通させることができる。さらに、電磁弁２２の出力ポート２８に連通する出力案内孔５６はベースモジュール１１の幅方向中央部に設けられ、出力案内孔５６に連通する出力流路６２は突き当て面１７側に片寄って設けられており、出力案内孔５６の中心と出力流路６２の中心はずれている。しかし、出力案内孔５６の径は出力流路６２の幅寸法よりも大きいので、出力案内孔５６と出力流路６２とを連通させることができる。
【００３５】
同様に、電磁弁２３の出力ポート２８に連通する出力案内孔５７は、図１０に示されるように、ベースモジュール１１の突き当て面１８側に片寄った位置に設けられている。したがって、出力案内孔５７を出力流路６３の幅寸法よりも大きな内径としても、出力案内孔５７を出力流路６３のみに連通させ、出力案内孔５７と他の出力流路６４との干渉を避けることができる。また、電磁弁２３はベースモジュール１１に幅方向にずらして取り付けられているので、出力案内孔５７の中心と電磁弁２３の出力ポート２８の中心はずれている。しかし、出力案内孔５７の径は、出力流路６３の幅寸法よりも大きくなっているので、出力案内孔５７を出力流路６３に連通させることができる。さらに、電磁弁２４の出力ポート２８に連通する出力案内孔５８はベースモジュール１１の幅方向中央部に設けられ、出力案内孔５８に連通する出力流路６４は突き当て面１８側に片寄って設けられており、出力案内孔５８の中心と出力流路６４の中心はずれている。しかし、出力案内孔５８の径は出力流路６４の幅寸法よりも大きいので、出力案内孔５８と出力流路６４とを連通させることができる。
【００３６】
それぞれの出力流路６１〜６４の流出口６１ａ〜６４ａは、図７に示されるように、ベースモジュール１１の先端面６５に設けられた凸部６５ａに開口している。凸部６５ａの上下両側には締結面６５ｂが設けられており、締結面６５ｂには取付孔６６が設けられている。ベースモジュール１１の先端部内には、図１および図２に示されるように、ナット部材６７が組み込まれており、このナット部材６７に設けられたねじ孔が取付孔６６に開口している。２つの中間ブロック１３，１４の先端部にも、ナット部材６７が組み込まれている。
【００３７】
図１５は図１に示されるストレートブロック７０を拡大して示す斜視図である。図１６は図１５の正面図である。図１７は図１５の背面図である。図１８は図１６におけるＨ−Ｈ線断面図である。
【００３８】
図２に示されるように、中央部のベース組立体１２ａを構成する３つのベースモジュール１１の先端面６５には、ほぼ直方体形状のストレートブロック７０がそれぞれ装着される。ストレートブロック７０の幅寸法Ｗは、ベースモジュール１１の幅寸法Ｗと同一となっている。図１８に示されるように、ストレートブロック７０にはそれぞれ真っ直ぐに伸びる４つのストレート流路７１〜７４が設けられている。それぞれのストレート流路７１〜７４の流入口７１ａ〜７４ａは、ベースモジュール１１の流出口６１ａ〜６４ａに連通し、ストレート流路７１〜７４の吐出口７１ｂ〜７４ｂはストレートブロック７０の先端面７５に開口している。ストレートブロック７０には、ベースモジュール１１に設けられた取付孔６６に対応して取付孔７６が設けられている。ストレートブロック７０の背面には、ベースモジュール１１の先端面６５に設けられた凸部６５ａが嵌合される凹部７７が設けられ、凹部７７の上下両側にはベースモジュール１１の締結面６５ｂに締結される締結面７８が設けられている。
【００３９】
図１９は図１に示されたオフセットブロック８０ａ（８０ｂ）を拡大して示す斜視図である。図２０は図１９の正面図である。図２１は図１９の背面図である。図２２は図２０におけるＩ−Ｉ線断面図である。
【００４０】
ベース組立体１２ｂを構成する３つのベースモジュールの先端面には、オフセットブロック８０ａが装着される。同様に、ベース組立体１２ｃを構成する３つのベースモジュール１１の先端面６５には、オフセットブロック８０ｂが装着される。オフセットブロック８０ａ，８０ｂには、図２２に示されるように、それぞれ傾斜部を有するオフセット流路８１〜８４が設けられている。
【００４１】
オフセットブロック８０ａ，８０ｂは、図１９〜図２２に示されるように、ベースモジュール１１の先端面６５に装着される基部８５を有し、基部８５の幅寸法Ｗはベースモジュール１１の幅寸法Ｗと同一となっている。オフセットブロック８０ａ，８０ｂは、基部８５に対して中間ブロック１３，１４の幅寸法Ｗだけベースモジュール１１の突き当て方向にずれた吐出部８６を有し、吐出部８６の幅寸法Ｗはベースモジュール１１の幅寸法Ｗと同一となっている。基部８５と吐出部８６は連結部８７により一体となっており、連結部８７と基部８５には流路形成部８８が設けられている。
【００４２】
オフセットブロック８０ａ，８０ｂは同一形状であり、図１９および図２０において吐出口を中心としてその両端部が上下対称形状となっている。つまり、オフセットブロック８０ａ，８０ｂはオフセット流路８１〜８４の面を中心として対称形状となっている。したがって、オフセットブロック８０ａは、図１に示されるように、吐出部８６が基部８５よりも中間ブロック１３側にずれた状態となって、ベース組立体１２ｂのベースモジュール１１に装着される。これに対し、オフセットブロック８０ｂは、オフセットブロック８０ａを上下反転させて、吐出部８６が基部８５よりも中間ブロック１４側にずれた状態となって、ベース組立体１２ｃのベースモジュール１１に装着される。このように、同一形状のオフセットブロックを用いて上下を反転させることにより、オフセットブロック８０ａは吐出部８６が図２において右側にずれた右オフセットブロックとなり、オフセットブロック８０ｂは左オフセットブロックとなる。つまり、左右一方のオフセットブロックを正立状態とすると、他方のオフセットブロックは反転状態となる。
【００４３】
図２２に示されるように、それぞれのオフセット流路８１〜８４の流入口８１ａ〜８４ａは、基部８５の背面に開口し、オフセットブロック８０ａ，８０ｂが装着されるベースモジュール１１の流出口６１ａ〜６４ａに連通する。それぞれの流入口８１ａ〜８４ａにオフセット流路８１〜８４を介して連通する吐出口８１ｂ〜８４ｂが吐出部８６の先端面８９に開口している。吐出部８６は基部８５に対して中間ブロック１３，１４の幅寸法Ｗだけ、１ピッチずれているので、吐出部８６は、オフセットブロック８０ａ，８０ｂが装着されたベースモジュール１１に隣り合う他のベースモジュール１１または中間ブロック１３，１４の先端面に対向することになる。
【００４４】
基部８５には基部８５が装着されるベースモジュール１１の取付孔６６に対応して取付孔９１ａが設けられている。吐出部８６には基部８５が装着されるベースモジュール１１に対して中間ブロック１３，１４側に隣り合う他のベースモジュール１１または中間ブロック１３，１４の取付孔６６に対応して取付孔９１ｂが設けられている。吐出口８１ｂ〜８４ｂは長方形の先端面８９の中央部に設けられており、オフセットブロック８０ａ，８０ｂは上下対称形状となっているので、オフセット流路８１〜８４を中心として基部８５と吐出部８６の両端部は対称形状となっている。基部８５の背面には、ベースモジュール１１の先端面６５に設けられた凸部６５ａが嵌合される凹部９２が設けられ、凹部９２の上下両側にはベースモジュール１１の締結面６５ｂに締結される締結面９３が設けられている。吐出部８６の背面には、隣り合う他のオフセットブロック８０ａ，８０ｂの基部８５の先端面が突き合わされる突き当て面９４となっている。それぞれのオフセットブロック８０ａ，８０ｂは、ねじ部材９５によりベースモジュール１１の先端面６５に締結される。つまり、ねじ部材９５は、ベースモジュール１１に取り付けられた基部８５の取付孔９１ａと、隣のベースモジュール１１に取り付けられたオフセットブロック８０ａ，８０ｂの吐出部８６の取付孔９１ｂとを貫通してベースモジュール１１の取付孔６６にねじ込まれる。
【００４５】
図１および図２に示されるように、ベース組立体１２ｂ，１２ｃを構成する６つのベースモジュール１１の先端面６５には、それぞれオフセットブロック８０ａ，８０ｂの基部８５が突き当てられ、ねじ部材９５により締結される。ベース組立体１２ｂを構成する３つのベースモジュール１１に取り付けられる３つのオフセットブロック８０ａには、図２においてそれぞれ符号８０ａ（１）〜８０ａ（３）が付されており、オフセットブロック８０ａ（１）〜８０ａ（３）が装着されるベースモジュール１１には符号１１（１）〜１１（３）が付されている。
【００４６】
図２においてベースモジュール１１（１）が装着される最も左側のオフセットブロック８０ａ（１）の吐出部８６に取り付けられるねじ部材９５は、オフセットブロック８０ａ（１）の右隣りのオフセットブロック８０ａ（２）の基部８５の取付孔９１ａを貫通してナット部材６７にねじ結合される。同様に、オフセットブロック８０ａ（１）の右隣りのオフセットブロック８０ａ（２）の吐出部８６に取り付けられるねじ部材９５は、オフセットブロック８０ａ（２）の右隣りのオフセットブロック８０ａ（３）の基部８５の取付孔９１ａを貫通してベースモジュール１１（３）のナット部材６７にねじ結合される。
【００４７】
オフセットブロック８０ａ（２）の右隣りのオフセットブロック８０ａ（３）の吐出部８６に取り付けられるねじ部材９５は、図２に示されるように、中間ブロック１３に設けられたナット部材６７にねじ結合される。一方、オフセットブロック８０ａ（１）の基部８５は図示しないねじ部材によりナット部材６７にねじ結合される。
【００４８】
図２に示されるように、ベース組立体１２ｃを構成する３つのベースモジュール１１の先端面６５には、ベース組立体１２ｂと同様に、それぞれオフセットブロック８０ｂの基部８５が突き当てられ、ねじ部材９５により締結される。ベース組立体１２ｃを構成する３つのベースモジュール１１に取り付けられる３つのオフセットブロック８０ｂには、図２において右側から左側に向けて、それぞれ符号８０ｂ（４）〜８０ｂ（６）が付されており、ベースモジュール１１にはオフセットブロック８０ｂ（４）〜８０ｂ（６）が装着されるベースモジュール１１には符号１１（４）〜１１（６）が付されている。
【００４９】
図２においてベースモジュール１１（４）に装着される最も右側のオフセットブロック８０ｂ（４）の吐出部８６に取り付けられるねじ部材９５は、オフセットブロック８０ｂ（４）の左隣りのオフセットブロック８０ｂ（５）の基部８５の取付孔９１ａを貫通してベースモジュール１１（５）のナット部材６７にねじ結合される。同様に、オフセットブロック８０ｂ（４）の左隣りのオフセットブロック８０ｂ（５）の吐出部８６に取り付けられるねじ部材９５は、オフセットブロック８０ｂ（５）の左隣りのオフセットブロック８０ｂ（６）の基部８５の取付孔９１ａを貫通してベースモジュール１１（６）のナット部材６７にねじ結合される。
【００５０】
オフセットブロック８０ｂ（５）の左隣りのオフセットブロック８０ｂ（６）の吐出部８６に取り付けられるねじ部材９５は、中間ブロック１４に設けられたナット部材６７にねじ結合される。一方、オフセットブロック８０ｂ（４）の基部８５は図示しないねじ部材によりベースモジュール１１（４）のナット部材６７にねじ結合される。
【００５１】
図２に示されるように、中央部のベース組立体１２ａの両側に、中間ブロック１３，１４を隔てて配置されるベース組立体１２ｂ，１２ｃを構成するベースモジュール１１には、オフセットブロック８０ａ，８０ｂが装着されている。それぞれのオフセットブロック８０ａ，８０ｂは、流入口８１ａ〜８４ａに対して吐出口８１ｂ〜８４ｂが、それぞれ中間ブロック１３，１４側にずれている。これにより、３つのストレートブロック７０と６つのオフセットブロック８０ａ，８０ｂは吐出部の側面が相互に突き当てられた状態となったブロック組立体が形成される。したがって、ストレートブロック７０に設けられた吐出口７１ｂ〜７４ｂと、オフセットブロック８０ａ，８０ｂに設けられた吐出口８１ｂ〜８４ｂとが、図４および図５に示されるように、一定のピッチで配列される。
【００５２】
エンドブロック１５，１６に設けられた空気供給部としての継手３５，３６と、中間ブロック１３，１４に設けられ空気供給部としての継手３７とから全ての電磁弁に対して圧縮空気が供給されるので、それぞれの吐出口から多量の空気を吐出させることができる。しかも、ベース組立体１２ａ〜１２ｃの間に配置された中間ブロック１３，１４からも圧縮空気を供給することができるので、それぞれの吐出口から圧縮空気を均一に吐出させることができる。
【００５３】
図２３はマニホールド電磁弁の変形例を示す斜視図である。図２４は図２３の断面図である。図２５は図２３に示されたストレートブロックを拡大して示す斜視図である。図２６は図２５の断面図である。図２７は図２３に示されたオフセットブロックを拡大して示す斜視図である。図２８は図２７の断面図である。
【００５４】
図２３に示されるマニホールド電磁弁１０は、図１に示されるマニホールド電磁弁１０と同様に、３つのベースモジュール１１により形成される３つのベース組立体１２ａ〜１２ｃを有している。それぞれのベースモジュール１１は図７に示されたものと同一の形状である。中央部に配置されるベース組立体１２ａの左右両側には、中間ブロック１３，１４が配置されている。ベース組立体１２ｂの外側にはエンドブロック１５が配置されており、ベース組立体１２ｃの外側にはエンドブロック１６が配置されている。マニホールド電磁弁１０は、図２に示したものと同様に、ベース組立体１２ａ〜１２ｃと、中間ブロック１３，１４と、エンドブロック１５，１６とを、図２３に示されるように、突き合わせて配置した状態のもとで、図示しない締結具で締結することにより組み立てられる。
【００５５】
ベース組立体１２ａの先端面に装着されるストレートブロック７０ａには、先端面７５に向けて先細となったテーパ部７９が設けられている。このストレートブロック７０ａは、テーパ部７９が設けられていることを除いて、図１５に示したストレートブロック７０と同一構造となっている。図２６に示されるように、流入口７１ａ〜７４ａと吐出口７１ｂ〜７４ｂとを連通させる真っ直ぐなストレート流路７１〜７４が、ストレートブロック７０に形成されている。
【００５６】
ベース組立体１２ｂの先端面に装着されるオフセットブロック８０ｃと、ベース組立体１２ｃの先端面に装着されるオフセットブロック８０ｄには、先端面８９に向けて先細となったテーパ部７９が設けられていることを除いて、図１９に示したオフセットブロック８０ａ，８０ｂと同一構造となっている。図２８に示されるように、流入口８１ａ〜８４ａと吐出口８１ｂ〜８４ｂとを連通させるオフセット流路８１〜８４がオフセットブロック８０ｃ，８０ｄに形成されている。オフセット流路８１〜８４は、傾斜部を有しており、吐出口８１ｂ〜８４ｂは、中間ブロック１３，１４の幅寸法Ｗに対応したピッチで、流入口８１ａ〜８４ａに対してずれている。
【００５７】
ベースモジュール１１には、上下に２つの弁搭載面１９ａ，１９ｂが設けられ、それぞれの弁搭載面１９ａ，１９ｂには２つずつ電磁弁が搭載されているが、ベースモジュール１１に１つの弁搭載面を設け、その弁搭載面に１つまたは複数の電磁弁を搭載するようしても良い。上述したマニホールド電磁弁１０においては、ベース組立体１２ａの両側に中間ブロック１３，１４を介してベース組立体１２ｂ，１２ｃが配置されているが、ベース組立体１２ａと、他の一方のベース組立体とを有する形態のマニホールド電磁弁としても良い。また、１つのベースモジュール１１の両側に中間ブロック１３，１４を配置し、それぞれの中間ブロック１３，１４の外側に１つまたは複数のベースモジュール１１を配置した形態のマニホールド電磁弁としても良い。
【００５８】
上述したオフセットブロック８０ａ〜８０ｄは、基部８５に対して吐出部８６が中間ブロック１３，１４の幅寸法だけずれている。基部８５に対する吐出部８６のずらし寸法を大きくしたオフセットブロックをブロック組立体に混在させると、それぞれオフセットブロックが装着されるベースモジュール１１の間に、中間ブロックを配置することができる。
【００５９】
図２９は、このように、ずらし寸法を大きくしたオフセットブロックを有するブロック組立体を示す斜視図である。このブロック組立体は、図２３に示されたストレートブロック７０ａと、図２７に示されたオフセットブロック８０ｃと、オフセットブロック８０ｄとを有している。２つのストレートブロック７０ａの両側には、２つのオフセットブロック８０ｃと、２つのオフセットブロック８０ｄとが突き当てられている。さらに、図２９〜図３２に示されるように、オフセットブロック８０ｃには２つのオフセットブロック８０ｅが突き当てられ、オフセットブロック８０ｄには２つのオフセットブロック８０ｆが突き当てられている。オフセットブロック８０ｅはオフセットブロック８０ｆと同一形状であり、上下が反転されている。
【００６０】
オフセットブロック８０ｅ，８０ｆは、図３３〜図３６に示されるように、上述したオフセットブロック８０ｃ，８０ｄと同様に、基部８５と吐出部８６とを有しており、これらは流路形成部８８により一体となっている。基部８５に対する吐出部８６のずれ寸法は、中間ブロック１３，１４の幅寸法の２倍となっている。したがって、オフセットブロック８０ｃとこれに隣り合うオフセットブロック８０ｅの間には、図３０に示されるように、寸法Ｗの隙間が形成される。同様に、オフセットブロック８０ｄとこれに隣り合うオフセットブロック８０ｆの間にも、寸法Ｗの隙間が形成される。これらの寸法Ｗをストレートブロック７０ａとこれに隣り合うオフセットブロック８０ｃとの間の寸法Ｗ、およびストレートブロック７０ａとこれに隣り合うオフセットブロック８０ｆとの間の寸法Ｗとすると、上述した中間ブロック１３，１４をそれぞれの隙間に対応したベースモジュール１１の間に配置することができる。
【００６１】
オフセットブロック８０ｅ，８０ｆには、テーパ部７９が設けられているが、図１に示されるオフセットブロック８０ａ，８０ｅのように、テーパ部７９が設けられていないタイプとしても基部８５と吐出部８６とが大きくずれた形態とすることができる。
【００６２】
図３７〜図４０は、テーパ部７９が設けられていないタイプのオフセットブロック８０ｇを示す。このオフセットブロック８０ｇは、基部８５と吐出部８６とが大きくずれていることを除いて、図１９〜図２２に示されたオフセットブロック８０ａ，８０ｂと同一の形状となっている。オフセットブロック８０ｇを混在させてブロック組立体としては、図１に示されたストレートブロック７０と、オフセットブロック８０ａと、オフセットブロック８０ｂとを、図２９と同様に、２つずつ中間ブロックを介して突き当てるとともに、２つのオフセットブロック８０ｇを中間ブロックを介して両側に突き当てて配置することにより、多数の吐出口を一定のピッチで配列することができる。
【００６３】
図４１はマニホールド電磁弁１０の適用例を示す一部切欠き側面図である。図４１は図１に示されたマニホールド電磁弁１０が組み込まれた米の選別装置９６を示している。この選別装置９６は、米を案内する溝が形成されたシュート９７を有し、例えば、籾摺り機に隣接して配置される。籾摺り機により籾殻が連続的に剥離された玄米Ｒは、シュート９７の溝に案内されて自重により落下する。マニホールド電磁弁１０が、例えば３６個の吐出口が設けられている場合には、シュート９７には吐出口に対応させて３６個の溝が設けられている。図４１においては１つの溝に案内されて連続的に落下する玄米Ｒが示されている。選別装置９６は、複数の不良品判別センサ９８，９９を有しており、シュート９７から落下する玄米Ｒの中に、着色米などの不良米や籾殻、石などの異物が含まれていると、不良品判別センサ９８，９９は、色彩やサイズに応じて不良米や異物を検出する。不良品判別センサ９８，９９からの信号に基づいて、不良米や異物が落下する位置に対応した電磁弁が駆動される。これにより、不良米等は吐出口から噴出される空気により図４１において右方向に吹き飛ばされ、良品のみが下方に落下して良品と不良品とが分離して回収される。米の選別装置９６としては、１８個のベースモジュール１１を継ぎ合わせてベース組立体を形成すると、７２個の吐出口を有する形態となる。４の倍数とした吐出口を有する任意の形態のベース組立体を同種のベースモジュール１１により組み立てることができる。なお、図４１は図１に示されたマニホールド電磁弁１０が組み込まれた選別装置９６を示すが、図２３に示されたマニホールド電磁弁１０を選別装置９６に適用することができる。さらには、図２７に示されたブロック組立体を有するマニホールド電磁弁を選別装置９６に適用することもできる。
【００６４】
本発明は前記実施の形態に限定されるものではなく、その要旨を逸脱しない範囲で種々変更可能である。例えば、このマニホールド電磁弁１０は、米の選別装置９６のみならず、それぞれの吐出口から吐出された空気を空気圧作動機器に供給して空気圧作動機器の作動を制御するためにも上述したマニホールド電磁弁を適用することができる。
【符号の説明】
【００６５】
１０    マニホールド電磁弁
１１    ベースモジュール
１２ａ〜１２ｃ    ベース組立体
１３，１４    中間ブロック
１５，１６    エンドブロック
１７，１８    突き当て面
１９ａ，１９ｂ    弁搭載面
２１〜２４    電磁弁
２７    給気ポート
２８    出力ポート
２９    弁体
３１，３２    給気孔
３３    給気流路
３５〜３７    継手（空気供給部）
４１ａ，４１ｂ    突起部
４２ａ，４２ｂ    弁取付面
４６ａ，４６ｂ    凹部
５１〜５４    給気案内孔
５５〜５８    出力案内孔
６１〜６４    出力流路
６１ａ〜６４ａ    流出口
７０、７０ａ    ストレートブロック
７１〜７４    ストレート流路
７１ａ〜７４ａ    流入口
７１ｂ〜７４ｂ    吐出口
８０ａ〜８０ｇ    オフセットブロック
８１〜８４    オフセット流路
８１ａ〜８４ａ    流入口
８１ｂ〜８４ｂ    吐出口
８５    基部
８６    吐出部
８７    連結部
８８    流路形成部
９１ａ，９１ｂ    取付孔
９５    ねじ部材
９６    選別装置
【図１】
2014059013.tif 000003
【図２】
2014059013.tif 000004
【図３】
2014059013.tif 000005
【図４】
2014059013.tif 000006
【図５】
2014059013.tif 000007
【図６】
2014059013.tif 000008
【図７】
2014059013.tif 000009
【図８】
2014059013.tif 000010
【図９】
2014059013.tif 000011
【図１０】
2014059013.tif 000012
【図１１】
2014059013.tif 000013
【図１２】
2014059013.tif 000014
【図１３】
2014059013.tif 000015
【図１４】
2014059013.tif 000016
【図１５】
2014059013.tif 000017
【図１６】
2014059013.tif 000018
【図１７】
2014059013.tif 000019
【図１８】
2014059013.tif 000020
【図１９】
2014059013.tif 000021
【図２０】
2014059013.tif 000022
【図２１】
2014059013.tif 000023
【図２２】
2014059013.tif 000024
【図２３】
2014059013.tif 000025
【図２４】
2014059013.tif 000026
【図２５】
2014059013.tif 000027
【図２６】
2014059013.tif 000028
【図２７】
2014059013.tif 000029
【図２８】
2014059013.tif 000030
【図２９】
2014059013.tif 000031
【図３０】
2014059013.tif 000032
【図３１】
2014059013.tif 000033
【図３２】
2014059013.tif 000034
【図３３】
2014059013.tif 000035
【図３４】
2014059013.tif 000036
【図３５】
2014059013.tif 000037
【図３６】
2014059013.tif 000038
【図３７】
2014059013.tif 000039
【図３８】
2014059013.tif 000040
【図３９】
2014059013.tif 000041
【図４０】
2014059013.tif 000042
【図４１】
2014059013.tif 000043